(57)【要約】【課題】センサ用の電池が不要な施解錠通知システムを提供する。【解決手段】受給電装置７６Ａは、分電盤に接続された給電側装置７６Ａ１、及び窓７６が閉まっている場合に給電側装置７６Ａ１から非接触で電力が伝達されると共に窓７６が開いている場合には給電側装置７６Ａ１からの電力の伝達がオフになる受電側装置７６Ａ２を有する。窓施解錠センサ７６Ｂは、受電側装置７６Ａ２に伝達された電力が供給され、かつ窓７６のクレセント７６Ｃが施錠されている場合に所定の信号を出力すると共に、当該所定の信号を無線通信で送信する。【選択図】図３
2015209737.tif 000002
【特許請求の範囲】
【請求項１】
電力が供給され、かつ窓が施錠されている場合に所定の信号を出力する窓施解錠検知手段と、
電源に接続された給電部、及び前記窓が閉まっている場合に前記給電部から非接触で電力が伝達されると共に前記窓が開いている場合には前記給電部からの電力の伝達がオフになる受電部を有し、該受電部に伝達された電力を前記窓施解錠検知手段に供給する受給電手段と、
前記窓施解錠検知手段が出力した所定の信号を無線通信で送信する送信手段と、
前記送信手段から送信された所定の信号を受信することにより、前記窓の施錠を判定する判定手段と、
判定結果を表示する表示手段と、
を備えた窓施解錠通知システム。
【請求項２】
前記窓施解錠検知手段は、電力が供給され、かつ前記窓を施錠するためのレバーが前記窓を施錠したときに、前記レバーに設けられた永久磁石の磁界を検知して前記所定の信号を出力する請求項１に記載の窓施解錠通知システム。
【請求項３】
前記判定手段は、前記送信手段から、前記窓施解錠検知手段に電力が供給されていることを示す状態信号が受信できているときに前記窓が閉まっていると判定し、前記状態信号が受信できないときに前記窓が開いていると判定する請求項１又は２に記載の窓施解錠通知システム。
【発明の詳細な説明】
【技術分野】
【０００１】
本発明は、建物における窓の施解錠通知システムに関する。
【背景技術】
【０００２】
建物の窓は主にクレセントと呼ばれる略半月形の締め金具によって施錠される。しかしながら、建物に窓は複数存在し、そのうちのどれかが施錠されていないと、不審者の侵入を許すおそれがある。特許文献１には、窓枠に設けたセンサによってクレセントが施錠されているか否かを検知し、検知結果を無線通信で外部機器に送信する窓用戸締センサの発明が開示されている。
【先行技術文献】
【特許文献】
【０００３】
【特許文献１】特開２０１２−１５８９５４号公報
【発明の概要】
【発明が解決しようとする課題】
【０００４】
しかしながら、特許文献１に記載の技術では、センサの電源に電池を用い、当該電池をクレセントの近傍に設けている。その結果、クレセント、センサ及び電源を含む装置自体が大型化し、窓枠の意匠の創作上での制限となるのみならず、大型化した装置が邪魔になり、窓枠の開閉に支障をきたす場合もあるという問題点があった。
【０００５】
また、電池には寿命がある。クレセントの施錠及び解錠を検知し続けるためには、寿命を迎えた電池を交換せねばならず、その手間が煩雑であるという問題点もあった。
【０００６】
本発明は、上記事実を考慮して成されたもので、センサ用の電池が不要な施解錠通知システムを提供することを目的とする。
【課題を解決するための手段】
【０００７】
上記課題を解決するための請求項１の発明は、電力が供給され、かつ窓が施錠されている場合に所定の信号を出力する窓施解錠検知手段と、電源に接続された給電部、及び前記窓が閉まっている場合に前記給電部から非接触で電力が伝達されると共に前記窓が開いている場合には前記給電部からの電力の伝達がオフになる受電部を有し、該受電部に伝達された電力を前記窓施解錠検知手段に供給する受給電手段と、前記窓施解錠検知手段が出力した所定の信号を無線通信で送信する送信手段と、前記送信手段から送信された所定の信号を受信することにより、前記窓の施錠を判定する判定手段と、判定結果を表示する表示手段と、を備える。
【０００８】
請求項１に記載の発明によれば、センサである窓施解錠検知手段には、ワイヤレス給電によって電力を供給できると共に、窓が開けられた時をセンサからの所定の信号が途絶えることで検知できる。
【０００９】
請求項２の発明は、請求項１に記載の発明において、前記窓施解錠検知手段は、電力が供給され、かつ前記窓を施錠するためのレバーが前記窓を施錠した状態になった場合に、前記レバーに設けられた永久磁石の磁界を検知して前記所定の信号を出力する。
【００１０】
請求項２に記載の発明によれば、磁界を検知するホール素子等の汎用的な素子を用いて窓施解錠検知手段を構成することができる。
【００１１】
請求項３の発明は、請求項１又は２に記載の発明において、前記判定手段は、前記送信手段から、前記窓施解錠検知手段に電力が供給されていることを示す状態信号が受信できているときに前記窓が閉まっていると判定し、前記状態信号が受信できないときに前記窓が開いていると判定する。
【００１２】
請求項３に記載の発明によれば、状態信号の受信の有無により、窓の開閉状態を検知できる。
【発明の効果】
【００１３】
以上説明したように、請求項１に記載の発明は、ワイヤレス給電によりセンサ用の電池が不要になるという効果を有する。
【００１４】
請求項２に記載の発明によれば、窓施解錠検知手段にホール素子等の汎用的な素子を使用することにより、システムのコストを抑制することができる。
【００１５】
請求項３に記載の発明によれば、窓の施解錠の状態に加えて、窓の開閉状態を検知することができる。
【図面の簡単な説明】
【００１６】
【図１】本発明の実施の形態に係る施解錠通知システムの一例を示す概略図である。
【図２】本発明の実施の形態に係る施解錠通知システムにおけるＨＥＭＳの概略構成を示すブロック図である。
【図３】本発明の実施の形態に係る施解錠通知システムの窓の一例を示す概略図である。
【図４】本発明の実施の形態に係る施解錠通知システムにおけるクレセント及び窓施解錠センサの一例を示す概略図である。
【図５】本発明の実施の形態に係る施解錠通知システム１０の窓７８の一例を示す概略図である。
【図６】本発明の実施の形態に係る施解錠通知システムを適用可能な窓の形式の一例を示す概略図である。
【図７】本発明の実施の形態に係る施解錠通知システムにおける施解錠の判定の一例を示すフローチャートである。
【発明を実施するための形態】
【００１７】
以下、図面を参照して本実施の形態の一例を詳細に説明する。図１は、本実施の形態に係る施解錠通知システム１０の一例を示す概略図である。本実施の形態では、系統電力１２からの電力が、主幹ブレーカー１１０を介して建物１００の分電盤１４に供給されている。
【００１８】
主幹ブレーカー１１０の分電盤１４側には、系統電力１２から供給される電力の電流値を検知する主幹ブレーカー電流センサ１２０が設けられている。系統電力１２から分電盤１４に供給された電力は、分岐回路２０Ａ〜２０Ｅを介して寝室５６及びリビング５８に設置された電力負荷手段並びにドア６６に設けられた電気錠５２に分配されている。
【００１９】
本実施の形態では、一例として、分岐回路２０Ａ、２０Ｂはベッド６８を備えた寝室５６に導かれ、分岐回路２０Ａは窓７８の受給電装置７８Ａに、分岐回路２０Ｂは照明２６に接続されている。また、分岐回路２０Ｃ、２０Ｄはリビング５８に導かれ、分岐回路２０Ｃは窓７６の受給電装置７６Ａに、分岐回路２０Ｄは照明２８に接続されている。また、分岐回路２０Ｅは電気錠５２に接続されている。
【００２０】
窓７６には窓施解錠センサ７６Ｂが、窓７８には窓施解錠センサ７８Ｂが各々設けられ、窓７６，７８の施錠又は解錠の状態を検知し、検知結果を受信装置６４，７２に無線通信で送信する。受信装置６４，７２は各々ＨＥＭＳ（Home Energy Management System）３０に接続されており、ＨＥＭＳ３０には窓施解錠センサ７６Ｂ，７８Ｂが各々検知した結果が入力される。
【００２１】
分岐回路２０Ａ〜２０Ｅには分岐回路２０Ａ〜２０Ｅの電流値を計測する電流センサ２２Ａ〜２２Ｅが各々設けられている。電流センサ２２Ａ〜２２Ｅからの情報線は、主幹ブレーカー電流センサ１２０からの情報線と住宅内のエネルギーの管理や制御を行うＨＥＭＳ３０が分電盤１４を制御するための情報線と共にＨＥＭＳ３０に接続されている。なお、図１において破線は計測データ又は制御情報が流れる情報線であるとする。電流センサ２２Ａ〜２２Ｅが検知した電流値は当該電流値が検知された時に対応付けられて、電流センサ２２Ａ〜２２Ｅの検知結果としてＨＥＭＳ３０のメモリに記憶される。また、ＨＥＭＳ３０には、タッチパネル等の入力装置と液晶パネル等の表示装置とを備え、ＨＥＭＳ３０の操作が可能で、かつ窓の施錠の状態を確認できる室内操作盤７４が接続されている。室内操作盤７４は、建物１００内の任意の場所に設置できるが、本実施の形態では、リビング５８に設置する。
【００２２】
分電盤１４の分岐回路２０Ａ〜２０Ｅには、分岐回路２０Ａ〜２０Ｅをオン状態又はオフ状態に切り替えるための分岐ブレーカー２４Ａ〜２４Ｅが各々設けられ、分岐ブレーカー２４Ａ〜２４Ｅは、ＨＥＭＳ３０によって制御される。なお、図１では、記載の簡略化のために分岐回路は５系統のみ記載しているが、本実施の形態では５系統以上でも５系統以下でもよく、分岐回路の本数に特段の限定はない。
【００２３】
また、ＨＥＭＳ３０には電気錠５２が接続されている。ＨＥＭＳ３０は電気錠５２にＩＣタグを応用した電子鍵等によって入力された認証情報が適正か否かを判定し、肯定判定の場合には電気錠５２の施錠又は解錠を行う。電気錠５２を解錠するための認証情報は、例えば、各々の電子鍵に固有のＩＤ情報であって、登録されたユーザに対応付けることにより、当該ＩＤ情報でユーザである居住者を特定する。ＩＤ情報は、例えば、複数の文字又は記号を含み、電子鍵毎、言い換えれば居住者毎に異なる構成となっている。
【００２４】
ＩＣタグを用いた電子鍵には、以下の２種類のタイプが存在する。１つは、自らＩＤ情報を含んだ電波を認証器に発信するアクティブ型。もう１つは、認証器に近づけた場合に認証器からの電磁波で電力が一時的にチャージされ、チャージされた電力でＮＦＣ（Near Field Communication）によるＩＤ情報の送信を行うパッシブ型である。本実施の形態では、アクティブ型及びパッシブ型のいずれでもよいが、居住者が電子鍵の操作を意識せずに扱える点でアクティブ型は優れるので、本実施の形態では、アクティブ型の電子鍵を用いることを前提とする。
【００２５】
ＨＥＭＳ３０にはゲートウェイである終端装置５４が接続されており、終端装置５４を介してネットワーク８０に接続されている。ネットワーク８０には、住居及びホームセキュリティ等に関する情報を建物１００に提供する情報センターの情報サーバ９０が接続されており、ＨＥＭＳ３０は、情報サーバ９０から住まい及びホームセキュリティの情報を適宜取得可能である。さらに、ＨＥＭＳ３０は、窓施解錠センサ７６Ｂ，７８Ｂの検知結果を、情報センターを介したネットワーク経由でユーザの携帯情報端末８２に通知することが可能である。
【００２６】
図２は、本実施の形態に係る施解錠通知システムに係るＨＥＭＳ３０の概略構成を示すブロック図である。ＨＥＭＳ３０は、コンピュータを含んで構成されており、図２に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００２７】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができる。さらには、表示装置及び入力装置を備えた室内操作盤７４を、表示部４６及び操作部４８として用いてもよい。また、本実施形態では室内操作盤７４をＨＥＭＳ３０と別体として設けた例を記載したが、ＨＥＭＳ３０に室内操作盤７４の機能を持たせて一体として構成し、ＨＥＭＳ３０をリビング５８に設置することで室内操作盤７４を省略することもできる。
【００２８】
表示部４６には、建物１００の消費電力量及び電気錠５２の稼働状況等の情報が表示可能である。ＲＯＭ４８には、分岐ブレーカー２４Ａ〜２４Ｅを制御するプログラム、電流センサ２２Ａ〜２２Ｅの検知結果に基づいて建物１００での消費電力量を算出するプログラムが記憶されている。さらにＲＯＭ４８には、電気錠５２を制御するプログラム、窓施解錠センサ７６Ｂ，７８Ｂの検知結果から窓７６，７８の施錠の状態を判定するプログラム、並びにこれらのプログラムを実行するための各種情報等が記憶されている。ＨＥＭＳ３０は、ＲＯＭ３８に記憶されたプログラムをＣＰＵ３６で実行することにより、建物１００へ供給する電力の制御等の各種制御、消費電力量の算出、電気錠５２の制御及び窓７６，７８の施錠の状態の判定等を行うようになっている。
【００２９】
建物１００の消費電力量は、電流センサ２２Ａ〜２２Ｅが検知した電流値から算出可能である。分電盤１４から供給される電圧は略１００Ｖなので、本実施の形態では各電流センサが検知した電流値に１００を乗算することで、消費電力量を算出する。しかしながら、電圧の変動が大きい分岐回路では、別途電圧を測定する手段を設けてもよい。また、ＨＥＭＳ３０の入出力ポート４２には、分電盤１４、窓施解錠センサ７６Ｂ，７８Ｂの検知結果を受信する受信装置６４，７２、電気錠５２及び終端装置５４等が接続されている。
【００３０】
図３は、本実施の形態に係る施解錠通知システム１０の窓７６の一例を示す概略図である。窓７６は、窓ガラス７６Ｄが取り付けられた窓枠７６Ｅが矢印Ａの方向にスライド可能な引違い窓であり、図１に示したように、リビング５８に設けられている。また、窓７６は、窓枠同士を固定することにより窓７６を施錠可能なクレセント７６Ｃがあり、クレセント７６Ｃが施錠されているか、解錠されているかを検知可能な窓施解錠センサ７６Ｂが、クレセント７６Ｃの直下に設けられている。窓施解錠センサ７６Ｂは、クレセント７６Ｃが施錠されている場合には、所定の信号を出力し、当該信号は無線通信で受信装置７２に送信される。
【００３１】
窓施解錠センサ７６Ｂには、受給電装置７６Ａを介して、分電盤１４の分岐回路２０Ｃから電力が供給されている。受給電装置７６Ａは、窓７６の最も外側を構成するフレーム７６Ｆに電源である分岐回路２０Ｃに接続された給電側装置７６Ａ１を備えている。また、受給電装置７６Ａは、給電側装置７６Ａ１に対向して窓枠７６Ｅに設けられ、給電側装置７６Ａ１から取得した電力を窓施解錠センサ７６Ｂに供給する受電側装置７６Ａ２を備えている。
【００３２】
給電側装置７６Ａ１と受電側装置７６Ａ２とは、導電体を介して接続されておらず、給電側装置７６Ａ１から受電側装置７６Ａ２へは、非接触のいわゆるワイヤレス給電によって電力が供給されている。ワイヤレス給電には、２つの隣接するコイルの片方に電流を流すと発生する磁束を媒介して隣接した他方のコイルに起電力が発生する電磁誘導を用いた電磁誘導方式と、電流を電磁波に変換しアンテナを介して送受信する電波方式と、電磁界の共鳴現象を利用した電磁界共鳴方式等の各種の方式がある。本実施の形態では、構成が最も簡易で、かつ低コストである電磁誘導方式によるワイヤレス給電で、窓施解錠センサ７６Ｂに電力を供給する。
【００３３】
ワイヤレス給電は、給電側装置７６Ａ１と受電側装置７６Ａ２との距離が所定の範囲内で可能となるので、窓枠７６Ｅが矢印Ａの方向にスライドされて窓が開くと、給電側装置７６Ａ１から受電側装置７６Ａ２への電力の供給は中断される。その結果、窓施解錠センサ７６Ｂはオフとなり、無線通信による所定の信号の送信も途絶える。なお、ワイヤレス給電が可能な給電側装置７６Ａ１と受電側装置７６Ａ２との距離は、給電側装置７６Ａ１及び受電側装置７６Ａ２の仕様によって左右されるが、本実施の形態では３〜５ｍｍとする。
【００３４】
本実施の形態のＨＥＭＳ３０は、窓施解錠センサ７６Ｂからの所定の信号が途絶えた場合に、窓７６が解錠された又は窓７６が開けられたと判定することができる。
【００３５】
図４は、本実施の形態に係る施解錠通知システム１０におけるクレセント７６Ｃ及び窓施解錠センサ７６Ｂの一例を示す概略図である。図４に示したように、クレセント７６Ｃのレバー７６Ｃ１には、永久磁石であるセンサマグネット７６Ｇが設けられている。窓施解錠センサ７６Ｂは、センサマグネット７６Ｇの磁界を検出した場合に所定の信号を出力する。窓施解錠センサ７６Ｂは、磁界を検知して所定の信号を出力するセンサであればよい。本実施の形態では所定の電圧が印加された状態で磁界を検知すると、所定の信号を出力するホール素子を窓施解錠センサ７６Ｂに用いている。
【００３６】
ホール素子は、磁界を検出しなくなった場合、又は電力の供給が途絶える等によりホール素子に所定の電圧が印加されなくなった場合に、所定の信号を出力しなくなる。
【００３７】
ホール素子は、作動時に電源を必要とするので、旧来は、電池７６Ｈを窓施解錠センサ７６Ｂの近傍に設けていた。しかしながら、本実施の形態では、窓施解錠センサ７６Ｂには、受給電装置７６Ａを介して、分電盤１４の分岐回路２０Ｃから電力が供給されているので、電池７６Ｈ等の電源は不要となっている。
【００３８】
なお、本実施の形態では、ホール素子とは別に電圧センサ又は電流センサ等のセンサを窓施解錠センサ７６Ｂに備えてもよい。窓７６が閉まっていて窓施解錠センサ７６Ｂに受給電装置７６Ａを介して電力が供給されている場合は、電圧センサ又は電流センサが、電力供給があることを示す状態信号を出力することができる。
【００３９】
本実施の形態では、窓７６が開くと、ワイヤレス給電は途絶えるので、かかる状態信号の出力の有無により、クレセント７６Ｃの施解錠とは別に、窓７６の開閉を検知できる。
【００４０】
図５は、本実施の形態に係る施解錠通知システム１０の窓７８の一例を示す概略図である。窓７８は、窓ガラス７８Ｄが取り付けられた窓枠７８Ｅが、ヒンジ部７８Ｇを中心として矢印Ｂの方向に回動する回転窓であり、図１に示したように、寝室５６に設けられている。また、窓７８には、窓枠７８Ｅを固定することにより窓７８を施錠可能なクレセント７８Ｃがあり、クレセント７８Ｃが施錠されているか、解錠されているかを検知可能な窓施解錠センサ７８Ｂが、クレセント７８Ｃの直下に設けられている。窓施解錠センサ７８Ｂは、窓施解錠センサ７６Ｂと同様に、ホール素子を用い、クレセント７８Ｃが施錠されている場合には、所定の信号を出力し、当該所定の信号は無線通信で受信装置６４に送信される。
【００４１】
窓施解錠センサ７８Ｂには、受給電装置７８Ａを介して、分電盤１４の分岐回路２０Ａから電力が供給されている。受給電装置７８Ａは、窓７８の最も外側を構成するフレーム７８Ｆに電源である分岐回路２０Ａが接続された給電側装置７８Ａ１を備えている。また、受給電装置７８Ａは、給電側装置７８Ａ１に対向して窓枠７８Ｅに設けられ、給電側装置７８Ａ１から取得した電力を窓施解錠センサ７８Ｂに供給する受電側装置７８Ａ２を備えている。
【００４２】
受給電装置７８Ａは、窓７６の受給電装置７６Ａと異なり、窓７８の上部に設けられている。本実施の形態では、受給電装置７６Ａ，７８Ａはワイヤレス給電により、給電側装置７６Ａ１，７８Ａ１と受電側装置７６Ａ１，７８Ａ２とを電気的に接続しているので、設置の自由度が高く、図５のような配置が可能である。
【００４３】
図６は、本実施の形態に係る施解錠通知システム１０を適用可能な窓の形式の一例を示す概略図である。図６（Ａ）は下窓９２が矢印Ｃ方向に可動する上げ下げ窓であり、図６（Ｂ）は窓９４が矢印Ｄ方向に可動する内倒し窓であり、図６（Ｃ）は窓９６が矢印Ｅ方向に可動する回転窓であり、図６（Ｄ）は窓９８が矢印Ｆ方向に可動する折り畳み窓である。図６のいずれの窓も、可動する窓に設けられているクレセント等の施錠手段にセンサマグネットと窓施解錠センサを設け、窓施解錠センサにはワイヤレス給電で電力を供給することが可能である。
【００４４】
図７は、本実施の形態に係る施解錠通知システム１０における施解錠の判定の一例を示すフローチャートである。ステップ７００では、窓施解錠センサ７６Ｂ，７８Ｂに電力が供給されていることを示す状態信号が受信できているか否かを判定する。状態信号が受信できているのであれば、受給電装置７６Ａ，７８Ａはワイヤレス給電が可能な状態、すなわち窓７６，７８が閉まっていることが分かる。
【００４５】
ステップ７００で肯定判定の場合には、ステップ７０２で、窓施解錠センサ７６Ｂ，７８Ｂからクレセントが施錠されている場合に出力される所定の信号が受信できているか否かを判定し、肯定判定の場合には、ステップ７０４で窓７６，７８は施錠されていると判定して処理を終了する。
【００４６】
また、ステップ７００又はステップ７０２で否定判定の場合には、ステップ７０６でクレセント７６Ｃ，７８Ｃは解錠されていると判定して、処理を終了する。
【００４７】
以上説明したように、本実施の形態によれば、窓の施錠又は解錠を検知する窓枠のセンサにワイヤレス給電で電力を供給することにより、センサ用の電池が不要な施解錠通知システムを提供することができる。
【符号の説明】
【００４８】
１０   施解錠通知システム
１２   系統電力
１４   分電盤
２０Ａ，２０Ｂ，２０Ｃ，２０Ｄ，２０Ｅ    分岐回路
３０   ＨＥＭＳ
３６   ＣＰＵ
３８   ＲＯＭ
４０   ＲＡＭ
４２   入出力ポート
４４   バス
４６   表示部
４８   操作部
５０   メモリ
６４，７２    受信装置
７４   室内操作盤
７６   窓
７６Ａ 受給電装置
７６Ａ１      給電側装置
７６Ａ２      受電側装置
７６Ｂ 窓施解錠センサ
７６Ｃ クレセント
７６Ｃ１      レバー
７６Ｄ 窓ガラス
７６Ｅ 窓枠
７６Ｆ フレーム
７６Ｇ センサマグネット
７８   窓
７８Ａ 受給電装置
７８Ａ１      給電側装置
７８Ａ２      受電側装置
７８Ｂ 窓施解錠センサ
７８Ｃ クレセント
７８Ｄ 窓ガラス
７８Ｅ 窓枠
７８Ｆ フレーム
７８Ｇ ヒンジ部
１００ 建物
【図１】
2015209737.tif 000003
【図２】
2015209737.tif 000004
【図３】
2015209737.tif 000005
【図５】
2015209737.tif 000006
【図６】
2015209737.tif 000007
【図７】
2015209737.tif 000008
【図４】
2015209737.tif 000009